(57)【要約】  【課題】  金属製の胴体に対し、柔軟性のある樹脂素材を射出成形によって引手を取り付け、引手が妄りに揺動することなく起立、倒伏姿勢が保持できるスライダーを提供する。  【解決手段】  ダイカスト成形による金属製の胴体１の引手取付部６に柔軟な引手１２を取り付け、引手１２は柔軟な熱可塑性樹脂、熱可塑性エラストマー、ゴムなどを直接射出成形により引手１２を取り付け、引手取付部６と引手１２のいずれか一方に設ける軸部１４と他方に設ける孔部７とが、孔部７の内周面８と軸部１４の外周面１５とが密着して摩擦力を惹起させ、この摩擦力により引手１２を任意の位置に保持でき、引手１２がぶらつかず使い易く、また他物との接触による接触音、衝撃音の発生を阻止できる。【選択図】  図１
2005211200.tif 000002
【特許請求の範囲】
【請求項１】
胴体１の引手取付部６に軟質素材の引手１２を一体成形したスライダーにおいて、引手取付部６と引手１２のいずれか一方に軸部１４、他方に軸部１４が挿通する孔部７を設け、孔部７の内周面８と軸部１４の外周面１５とが密着してなることを特徴とするスライドファスナー用スライダー。
【請求項２】
軸部１４は孔部７内を回動可能に形成し、引手１２を任意かつ適宜の位置に保持可能に形成してなる請求項１記載のスライドファスナー用スライダー。
【請求項３】
軸部１４は孔部７内を回動不能に形成し、引手１２を倒伏姿勢に保持可能に形成してなる請求項１記載のスライドファスナー用スライダー。
【請求項４】
胴体１の上翼板２の上面に前後方向へ延び隆起する引手取付部６を設け、該引手取付部６に胴体１の前後方向を指向する孔部７を配設してなる請求項１記載のスライドファスナー用スライダー。
【請求項５】
胴体１の上翼板２の上面に左右方向へ延び隆起する引手取付部６を設け、該引手取付部６に胴体１の左右方向を指向する孔部７を配設してなる請求項１記載のスライドファスナー用スライダー。
【請求項６】
胴体１の上翼板２の上面両側に対向状に引手取付部６を立設し、該引手取付部６に孔部７を横設してなる請求項１記載のスライドファスナー用スライダー。
【請求項７】
胴体１の上翼板２の上面に両側へ軸部１４を突設した引手取付部６を立設し、引手１２の基部に対向する腕部２０を設け、該腕部２０に孔部７を設けてなる請求項１記載のスライドファスナー用スライダー。
【請求項８】
引手取付部６に設置する孔部７は、引手取付部６を貫通して形成し、該孔部７内を引手１２の軸部１４が挿通して引手本体１３と一体に成形してなる請求項１記載のスライドファスナー用スライダー。
【請求項９】
引手取付部６に設置する孔部７は、内周面８に径方向へ突出する突条９を設け、引手１２の軸部１４は外周面１５に突条９と合致する凹溝１６を設けてなる請求項１記載のスライドファスナー用スライダー。
【請求項１０】
引手１２に設置する軸部１４は、引手取付部６に設置する孔部７から露出する個所の外周面１５に孔部７より大きな段差のある段部１７を形成してなる請求項１記載のスライドファスナー用スライダー。
【発明の詳細な説明】
【技術分野】
【０００１】
この発明は、スポーツウェアまたキャスター付きバッグなどの衣服またバッグに用いるスライドファスナーのスライダーで、引手は弾性体から形成し、安全で妄りに揺動することがなく、引手による接触音の発生が防げるスライダーに関するものである。
【背景技術】
【０００２】
従来、図１７に示すように、スライダーの引手は勝手に起立状態に揺動し、アイロン掛けなどの場合に引手が邪魔にならないように、把手状の引手杆を胴体の上翼板上の長手方向に隆起する膨出部を形成し、この膨出部の両端面に穿設した孔部に引手杆の端部を挿入し、引手杆が倒伏したとき、膨出部の端面に設けた外方へ突出する突起に引手杆が係止し、引手杆が起立できないように形成したスライダーの引手が知られている。
【０００３】
また、図１８に示すように、スライダー胴体の上部に柔軟で弾力のある弾性素材から形成した引手を有し、引手は常時胴体の上翼板上で自立する形に突出させ、胴体の前後左右に弾性的に屈曲できるように形成し、引手を掴み易く形成し衝突時に衝撃を緩和し弾性復元力を備えたスライダーの引手が知られている。
【特許文献１】実公昭６２−２７１４２号公報
【特許文献２】特開２００２−２０９６１２号公報
【発明の開示】
【発明が解決しようとする課題】
【０００４】
前述の図１７に示したスライダーの引手は、引手の起立姿勢と倒伏姿勢を維持するため、スライダーの胴体に特別な構造の引手杆の起立を抑制できる構造に形成する必要があり、構造が複雑であり簡易に作製できない。また図１８に示したスライダーの引手は、胴体に装備した引手が常時起立姿勢であり、倒伏させることができないので、引手が邪魔になるなど問題点がある。
【０００５】
この発明は、上述の問題点を考慮して発明されたものであり、請求項１記載の発明は、スポーツウェア、キャスター付きバッグなど衣服またバッグに用いるスライドファスナーのスライダーで、金属のダイカスト製の胴体に対して柔軟性のある熱可塑性樹脂、熱可塑性エラストマー、ゴムなどを胴体へ一体成形した引手を備えたスライダーにおいて、引手が妄りに揺動することなく、引手が起立姿勢また倒伏姿勢を維持することができ、引手が胴体や他物に接触して接触音を発生することを未然に防ぐとともに、引手がぶらぶら揺動して使用者に不快感を与えず、かつ引手に損傷を与えないスライドファスナー用スライダーを提供することが主たる目的である。
【０００６】
請求項２記載の発明は、請求項１記載の発明の目的に加え、スライダーの引手取付部または引手に設ける軸部が、他方の引手または引手取付部に設けた孔部内を回動することが可能であり、引手を胴体に対して任意かつ適宜の位置で保持することができ、スライダーの取扱いおよび操作が簡便に行え、かつ消音機能を的確に発揮できるスライドファスナー用スライダーを提供することが目的である。
【０００７】
請求項３記載の発明は、請求項１記載の発明の目的に加え、スライダーの引手取付部または引手に設ける軸部が、他方の引手または引手取付部に設けた孔部内を回動することが不能であり、引手を胴体に対して倒伏姿勢に保持することができ、スライダーの引手が常時邪魔にならず、かつ消音機能を的確に発揮できるスライドファスナー用スライダーを提供することが目的である。
【０００８】
請求項４記載の発明は、請求項１記載の発明に加え、スライダーの胴体における上翼板の上面に前後方向へ延び隆起する引手取付部を設け、この引手取付部に胴体の前後方向を指向する孔部を設けて、引手を胴体に対して摺動方向に引手を取り付け、スライダーの操作を簡便に行うことができ、かつ消音機能を的確に発揮できるスライドファスナー用スライダーを提供することが目的である。
【０００９】
請求項５記載の発明は、請求項１記載の発明の目的に加え、スライダーの胴体における上翼板の上面に左右方向へ延び隆起する引手取付部を設け、この引手取付部に胴体の左右方向を指向する孔部を設けて、引手を胴体に対して横方向に引手を取り付け、スライダーの引手を容易に掴持でき、摺動操作を簡便に行え、かつ消音機能を的確に発揮できるスライドファスナー用スライダーを提供することが目的である。
【００１０】
請求項６記載の発明は、請求項１記載の発明の目的に加え、スライダーの胴体における上翼板の上面両側に引手取付部を対向状に起立する形に設け、この引手取付部に孔部を横方向に設けて、引手を胴体に対して横方向に取り付け、スライダーの引手を容易に掴持でき、摺動操作を簡便に行え、かつ作製が容易なスライドファスナー用スライダーを提供することが目的である。
【００１１】
請求項７記載の発明は、請求項１記載の発明の目的に加え、スライダーの胴体における上翼板の上面中央に両側へ突出する軸部を備えた引手取付部を起立する形に設け、引手の基部に二叉の腕部を設け、この腕部に孔部を設けて、引手を胴体に対して左右方向に取り付け、スライダーの引手を容易に掴持でき、摺動操作を簡便に行え、かつ作製が容易なスライドファスナー用スライダーを提供することが目的である。
【００１２】
請求項８記載の発明は、請求項１記載の発明の目的に加え、スライダーにおける引手取付部に設ける孔部は貫通状に形成し、この貫通状の孔部内を軸部が挿通する形状で引手本体と一体に成形し、引手が孔部から絶対に抜脱することがない頑丈な引手を備えたスライドファスナー用スライダーを提供することが目的である。
【００１３】
請求項９記載の発明は、請求項１記載の発明の目的に加え、スライダーにおける引手取付部に設ける孔部は、孔部の径方向へ突出する突条を設け、また引手に設ける軸部は外周面に凹溝を設けて両者を密着させ、スライダーの引手が取付部分で取付方向に滑動できず、引手を頑丈に取り付け、摺動操作を円滑に行えるスライドファスナー用スライダーを提供することが目的である。
【００１４】
請求項１０記載の発明は、請求項１記載の発明の目的に加え、スライダーにおける引手取付部に装着する引手の軸部は露出する接続部位に孔部と段差がある段部を設け、軸部を孔部に密着させ、スライダーの引手が取付部分で取付方向に滑動できず、引手を頑丈に取り付け、摺動操作を円滑に行えるスライドファスナー用スライダーを提供することが目的である。
【課題を解決するための手段】
【００１５】
前記の目的を達成するため、この発明のうち請求項１記載の発明は、スライダーの胴体１はアルミニウム合金、亜鉛合金のダイカスト製から形成し、引手取付部６に取り付ける引手１２は軟質素材例えば柔軟性のある熱可塑性樹脂、熱可塑性エラストマー、ゴムなどの素材を引手取付部６に直接射出成形して取り付けたスライダーにおいて、引手取付部６と引手１２のいずれか一方に軸部１４を設け、他方に軸部１４が挿通できる孔部７を設け、この孔部７の内周面８と軸部１４の外周面１５とが密着して引手１２を引手取付部６に取り付けたスライドファスナー用スライダーを主な構成とするものである。
【００１６】
請求項２記載の発明は、請求項１記載の発明の構成に加え、スライダーの引手取付部６または引手１２に設ける軸部１４が、他方の引手１２または引手取付部６に設けた孔部７内を自由に回動することができ、引手１２は胴体１に対して任意かつ適宜の位置で保持できるスライドファスナー用スライダーである。
【００１７】
請求項３記載の発明は、請求項１記載の発明の構成に加え、スライダーの引手取付部６または引手１２に設ける軸部１４が、他方の引手１２または引手取付部６に設けた孔部７内を回動することができず固定され、引手１２を胴体１に対して倒伏姿勢に保持できるスライドファスナー用スライダーである。
【００１８】
請求項４記載の発明は、請求項１記載の発明の構成に加え、スライダーの胴体１の上翼板２における上面に前後方向へ延び隆起する引手取付部６を設け、この引手取付部６に胴体１の前後方向を指向する孔部７を設け、引手１２を胴体１に対し長手方向に取り付けたスライドファスナー用スライダーである。
【００１９】
請求項５記載の発明は、請求項１記載の発明の構成に加え、スライダーの胴体１の上翼板２における上面に左右方向へ延び隆起する引手取付部６を設け、この引手取付部６に胴体１の左右方向を指向する孔部７を設け、引手１２を胴体１に対し前後に回動可能に取り付けたスライドファスナー用スライダーである。
【００２０】
請求項６記載の発明は、請求項１記載の発明の構成に加え、スライダーの胴体１の上翼板２における上面の両側に対向状に起立する引手取付部６を設け、この引手取付部６に胴体１の左右方向を指向する孔部７を設け、引手１２を胴体１に対し前後に回動可能に取り付けたスライドファスナー用スライダーである。
【００２１】
請求項７記載の発明は、請求項１記載の発明の構成に加え、スライダーの胴体１の上翼板２における上面の中央に、両側へ突出する軸部１４を備えた引手取付部６を起立状に設け、引手１２は、その基部に対向する二叉状の腕部２０を設け、この腕部２０に孔部７を設けて軸部１４に密接する形に引手１２を取り付けたスライドファスナー用スライダーである。
【００２２】
請求項８記載の発明は、請求項１記載の発明の構成に加え、引手取付部６に設ける孔部７は、引手取付部６を貫通する形に形成し、この貫通する孔部７内を引手１２の軸部１４が挿通し連結される形で引手本体１３と一体に成形したスライドファスナー用スライダーである。
【００２３】
請求項９記載の発明は、請求項１記載の発明の構成に加え、スライダーにおける引手取付部６に設ける孔部７は、孔部７の径方向へ突出する突条９を設け、また引手１２に設ける軸部１４は外周面１５に突条９と合致する凹溝１６を設けて密着させたスライドファスナー用スライダーである。
【００２４】
請求項１０記載の発明は、請求項１記載の発明の構成に加え、スライダーにおける引手取付部６に装着する引手１２の軸部１４は、露出する接続部位に孔部７と段差がある段部１７を形成して孔部７に密着させたスライドファスナー用スライダーである。
【発明の効果】
【００２５】
この出願の発明の効果として、請求項１記載の発明は、胴体の引手取付部に軟質素材の引手を一体成形したスライダーにおいて、引手取付部と引手のいずれか一方に軸部、他方に軸部が挿通する孔部を設け、孔部の内周面と軸部の外周面とが密着させたことによって、金属製の胴体へ柔軟性のある熱可塑性樹脂、熱可塑性エラストマー、ゴムなどの引手を射出成形し、軸部と孔部とを密着させたので、引手が妄りに揺動することがなく、引手が起立姿勢また倒伏姿勢を維持することができ、引手が他物と接触して接触音を発生することがなく消音機能があり不快感を与えない。また引手を損傷することがないなどの効果がある。
【００２６】
請求項２記載の発明は、請求項１記載の発明の効果に加え、軸部は孔部内を回動可能に形成し、引手を任意かつ適宜の位置に保持可能に形成したことによって、引手を任意の位置に保持できるので、スライダーの取扱いおよび操作上において利便性があり、また消音機能も十分発揮できる効果がある。
【００２７】
請求項３記載の発明は、請求項１記載の発明の効果に加え、軸部は孔部内を回動不能に形成し、引手を倒伏姿勢に保持可能に形成したことによって、引手が弾性力により常時倒伏状態であるので、引手が使用において邪魔にならず、また的確に消音機能を発揮できる効果がある。
【００２８】
請求項４記載の発明は、請求項１記載の発明の効果に加え、胴体の上翼板の上面に前後方向へ延び隆起する引手取付部を設け、該引手取付部に胴体の前後方向を指向する孔部を配設したことによって、引手をスライダーの摺動方向に向けた形状で安定した状態に固定することができ、また各種多彩な引手を容易に作製でき、デザイン上優れたスライダーに仕上げられ、かつ消音機能も充分発揮できる効果がある。
【００２９】
請求項５記載の発明は、請求項１記載の発明の効果に加え、胴体の上翼板の上面に左右方向へ延び隆起する引手取付部を設け、該引手取付部に胴体の左右方向を指向する孔部を配設したことによって、スライダーの引手を横方向に向けた形状で安定した状態に固定することができ、かつ引手を容易に掴持することができ、スライダーの摺動操作を円滑かつ簡便に行え、消音機能も充分発揮できる効果がある。
【００３０】
請求項６記載の発明は、請求項１記載の発明の効果に加え、胴体の上翼板の上面両側に対向状に引手取付部を立設し、該引手取付部に孔部を横設したことによって、スライダーの引手を横方向に向けた形状で固定することができ、引手を容易に掴持し円滑な摺動操作を行うことができ、消音機能のあるスライダーを簡易に作製できる効果がある。
【００３１】
請求項７記載の発明は、請求項１記載の発明の効果に加え、胴体の上翼板の上面に両側へ軸部を突設した引手取付部を立設し、引手の基部に対向する腕部を設け、該腕部に孔部を設けたことによって、スライダーの引手を横方向に向けた形状で固定するスライダーを簡単に作成でき、しかも摺動操作を円滑かつ簡易に作製でき、しかも摺動操作を円滑かつ簡易に行うことができ、十分に消音機能を発揮できる効果がある。
【００３２】
請求項８記載の発明は、請求項１記載の発明の効果に加え、引手取付部に設置する孔部は、引手取付部を貫通して形成し、該孔部内を引手の軸部が挿通して引手本体と一体に成形したことによって、引手は引手本体と軸部とが連結され一体化されているので、絶対に引手取付部から引手は抜脱することがなく、強靭で消音機能を備えた引手に仕上げられる効果がある。
【００３３】
請求項９記載の発明は、請求項１記載の発明の効果に加え、引手取付部に設置する孔部は、内周面に径方向へ突出する突条を設け、引手の軸部は外周面に突条と合致する凹溝を設けたことによって、引手の軸部が取付部分で取付方向に滑動するのを積極的に阻止し、しかも軸部と孔部との接触面を大きく採り、引手の回動を抑制して引手を任意の位置で確実に維持できる効果がある。
【００３４】
請求項１０記載の発明は、請求項１記載の発明の効果に加え、引手に設置する軸部は、引手取付部に設置する孔部から露出する個所の外周面に孔部より大きな段差のある段部を形成したことによって、引手の軸部が取付部分で取付方向に滑動するのを積極的に阻止し、しかも軸部と孔部との接触面を大きく採り、引手の回動を抑制して引手を任意の位置で確実に維持し、かつスライダーの作製が簡易である効果があるなど、この発明が奏する効果は顕著である。
【発明を実施するための最良の形態】
【００３５】
この発明におけるスライドファスナー用スライダーは、図１に示すように、内部にファスナーエレメントが通過可能なエレメント案内通路を備えた胴体１と、胴体１の上面に回動可能に取り付けられた引手１２とから形成され、胴体１は、金属、例えば亜鉛合金、アルミニウム合金を用いてダイカスト成形により作製され、上翼板２と下翼板３とを案内柱４で連結し、上翼板２の上面に隆起する引手取付部６を設け、この引手取付部６を貫通して引手１２の軸部１４が挿通できる孔部７を穿設し、引手１２は、柔軟性のある熱可塑性樹脂または熱可塑性エラストマーあるいはゴムなどの軟質素材を用いて胴体１に直接射出成形し、胴体１の引手取付部６に設けた孔部７内に挿通する軸部１４と、軸部１４の両端と連結して摘み部となる引手本体１３とから形成する。
【００３６】
スライダーの形態は、引手１２の軸部１４の外周面１５と引手取付部６の孔部７の内周面８とが密接し、軸部１４が孔部７内を回動した時に、軸部１４の外周面１５と孔部７の内周面８との間に摩擦が生じ、この摩擦力によって引手１２を任意かつ適宜の位置に起立させ、また倒伏させた姿勢を安定した状態で保持することができるようにする。また、引手取付部６を胴体１の前後方向に延設し、孔部７を引手取付部６の前後方向に貫通させ、この孔部７に引手１２の軸部１４が挿通している。胴体１の前後方向の寸法は、胴体１の左右方向の寸法に比べ長尺に設定されているため、孔部７と軸部１４の設置方向が胴体１の前後方向に向く形態とすることで、軸部１４の外周面１５と孔部７の内周面８との接触面積を大きく確保し、摩擦力を増加させることができる。
【００３７】
引手１２は、軸部１４が孔部７内で回動した時に、引手本体１３と引手取付部６とが接触することを回避するために、引手本体１３と軸部１４との間に開口部１８を設け、さらに、引手取付部６の孔部７の内周面８に、図５，６に示すように、孔部７の径方向へ突出する突条９を設け、引手１２の軸部１４の外周面１５に突条９と合致する凹溝１６を刻設して密着させることにより、軸部１４が軸方向へ滑動することを阻止することができる。上述した構成によって、引手１２がぶらつかず、かつ他物との接触による接触音の発生を阻止し、消音機能を備えたスライダーに仕上げることができる。
【実施例１】
【００３８】
図１〜６に示す実施例１のスライドファスナー用スライダーについて説明する。スライダーの胴体１は上翼板２と下翼板３とを案内柱４で連結し、上翼板２と下翼板３との間にファスナーエレメントが通過できるエレメント案内通路を形成する。上翼板２と下翼板３の対向面の両側にエレメント案内通路内を通過するファスナーエレメントをガイドするフランジ５を突設する。この胴体１の上翼板２における上面の中央に胴体１の前後方向の略全長にわたって、倒角柱状あるいは断面台形に隆起する引手取付部６を設け、この引手取付部６の中心に断面円形の孔部７を胴体１の前後方向を向く形で貫設し、この孔部７の長手方向の中央に図３，５，６に示すように、径方向すなわち孔部７の中心へ向けて突出する突条９を設ける。この突条９の断面形状は三角状であっても円弧状であってもよく、孔部７の内周面８に沿って連続状に突出し、突出高さは０．３ｍｍ〜０．５ｍｍ程度が好適である。このように形成されたスライダーの胴体１は、亜鉛合金またはアルミニウム合金などを用いてダイカスト成形により作製する。
【００３９】
このダイカスト製の胴体１に対し、軟質素材例えばポリアセタール、ポリアミド、ポリプロピレンなどの柔軟性のある熱可塑性樹脂、また熱可塑性エラストマー、さらにゴムなどの素材を用いて、直接引手取付部６の孔部７に対して射出成形して引手１２を成形する。成形される引手１２は、孔部７を貫通する軸部１４と、この軸部１４の両端に連接した摘みになる板状体の引手本体１３を形成する。引手１２は引手取付部６を中心に回動できるようにするため、引手取付部６と引手本体１３との間に空隙を介在した開口部１８を設けて、引手取付部６と引手本体１３とが接触しないようにし、引手１２の軸部１４が孔部７を中心に回動可能に形成する。
【００４０】
胴体１に引手１２を取り付けたスライダーは、図２に示すように引手本体１３を摘んで胴体１の上方へ直立する状態に起立させると引手１２は軸部１４の外周面１５と孔部７の内周面８とが密着しているため、摩擦力が生じて起立姿勢を保持する。また引手本体１３を摘んで胴体１の側方に向く水平な状態に倒したときも、軸部１４の外周面１５と孔部７の内周面８とが密着しているため、摩擦力が生じて倒伏姿勢を保持する。また、引手２の起立姿勢は直立状態に限らず、斜め上方に向けて立ち上る状態であってもよく、この状態においても軸部１４の外周面１５と孔部７の内周面８とが密着しているため摩擦力が生じ、引手２は軸部１４が回動する範囲内で任意の姿勢を保持することができる。さらに引手１２は軸部１４の中央に設けた凹溝１６と孔部７の中央に設けた突条９とが嵌合することにより、軸部１４が胴体１の前後方向すなわち軸部１４の軸方向にずれ動くことができない。なお引手本体１３の形状は多種多様な形状で板状体であったり、また線条体すなわち２本の指先が嵌め込むことができるＢ型形状またはＤ型形状であってもよく、引手取付部６が胴体１上で長尺であるため、安定した状態で引手１２を取り付けることができ、しかもデザイン的にも優れた引手１２を成形することができる。
【００４１】
スライダーの使用態様は、衣服またはバッグなどに取り付けたファスナーチエンに装着されたスライダーは、ファスナーエレメントを噛合または分離可能で、ファスナーチエンを開閉するとき、引手１２の引手本体１３を摘んで起立させた状態で開離方向または閉鎖方向に胴体１を摺動させて使用する。ファスナーチエンを開離または閉鎖した後、胴体１に回動可能に軸支された引手１２は、起立させた状態でもよいが、引手１２が邪魔になるようであれば、軸部１４を回動させて引手本体１３を倒伏させた状態にすれば、引手１２は倒伏姿勢を維持する。従って引手１２は胴体１に対して一定の姿勢を保持し、ぶらつきまたは揺動はしないので、引手１２が他物と接触して接触音を発生することがない。また引手１２は軟質素材から成形されているので、弾力性があり手触りがよく引手１２および使用製品を損傷する恐れがない。
【００４２】
図７に示すスライダーの変形例は、胴体１の上翼板２の上面に設置した倒角柱状または断面台形の引手取付部６に穿設した孔部７は、断面円形で中央に突条９は存在しない。この孔部７に対して軟質素材を射出成形した引手１２の軸部１４は、孔部７の両端で、孔部７の径よりも大きく段差を付けて段部１７を形成したものであり、引手１２の軸部１４が軸方向へずれ動くのを防止したスライダーである。
【００４３】
図８に示すスライダーの変形例は、胴体１の上翼板２の上面に設置した倒角柱状または断面台形の引手取付部６に穿設した孔部７は、断面円形で中央に突条９を突設する。この孔部７に対して軟質素材を射出成形した引手１２の軸部１４は、孔部７の両端で孔部７の径よりも大きく段部１７を形成した軸部１４に成形するとともに、軸部１４の中央に突条９と嵌合する凹溝１６を設けたものであり、引手１２の軸部１４は段部１７と凹溝１６により軸方向へのずれ動きを的確に防止したスライダーである。
【００４４】
図９に示すスライダーの変形例は、胴体１の上翼板２の上面に設置した倒角柱状または断面台形に隆起する引手取付部６に穿設した孔部７は、断面角形に穿孔し、中央に突条９を設けるかは自由である。この断面角形の孔部７に対して軟質素材を射出成形し、引手１２を倒伏姿勢に成形すると、引手取付部６の孔部７に成形された引手１２の軸部１４は角柱状であるため、軸部１４が孔部７内を回動することができない。従ってこのタイプの引手１２は倒伏状態であるから、使用の際は引手本体１３を二点鎖線の状態に摘み上げて開閉操作を行う。操作が終了すると引手本体１３の弾力によって胴体１上へ自動的に倒伏し、引手１２が邪魔にならず、またぶら付かないから接触音の発生も阻止できる。
【実施例２】
【００４５】
図１０〜１２に示す実施例２のスライドファスナー用スライダーは、胴体１の上翼板２における上面の中央に隆起する引手取付部６を胴体１の左右方向の幅一杯に横設し、この引手取付部６の中心に断面円形の孔部７を胴体１の左右方向へ向けて穿設し、この引手取付部６に穿設した孔部７に軟質素材を射出成形して、孔部７内に挿通する軸部１４と、円弧状板の引手本体１３とから形成される引手１２を成形する。また引手本体１３は、短冊形、円板状など自由に成形できる。
【００４６】
このタイプのスライダーは、引手１２が胴体１の前後に回動するため、引手１２には胴体１との接触を回避する開口部１８が設けられている。また前例と同様に、引手１２は引手本体１３を摘んで前後に起立または倒伏させると、孔部７の内周面８と軸部１４の外周面１５とが密着しているので摩擦力が生じ、掴持状態のままで保持できるように形成したスライダーである。なお孔部７、軸部１４に突条９、凹溝１６を形成することは随意である。
【実施例３】
【００４７】
図１３に示す実施例３のスライドファスナー用スライダーは、前記各例と異なる構成は、引手１２を取り付ける引手取付部６が胴体１の上面の１個所に設置するのでなく、胴体１の上面における左右両側縁に引手取付部６を対向状に立設した構成で異なる。引手取付部６には円形の孔部７が穿設され、引手部６間に軟質素材から形成される引手１２を一体に成形する。引手１２は引手本体１３の下端に引手取付部６の孔部に充填し挿入状態にある軸部１４を一体に設けることによって、引手１２を任意に起立または倒伏させることができるスライダーである。
【００４８】
図１４に示すスライダーの変形例は、胴体１の上面の両側縁に立設した引手取付部６に穿設した孔部７に対し、軟質素材の引手１２を射出成形する際、引手１２は軸部１４の外端を延出して引手本体１３と連接し、引手取付部６との接触を回避する透孔１９を設けて、引手本体１３を前後に回動し任意の位置で保持できるように形成したスライダーである。
【実施例４】
【００４９】
図１５に示す実施例４のスライドファスナー用スライダーは、前記各例と異なる構成は、引手１２を取り付ける引手取付部６に孔部７を設けずに引手１２を軸支するための軸部１４を設け、また引手１２には軸部１４を設けずに孔部７を設けた構成で異なる。胴体１の上翼板２の中央に角柱状の引手取付部６を立設し、この引手取付部６の先端側に両側へ突出する軸部１４を設けて胴体１を形成し、これに対し引手１２は引手取付部６に設置した軸部１４を内装する形で軟質素材を射出成形して引手本体１３を成形するとともに、引手取付部６を逃避するための切欠部２１を設けて腕部２０を形成する。この引手１２は腕部２０部分を分厚く形成し、引手１２の起立および倒伏操作を簡便に行うことができるスライダーである。なお、孔部７、軸部１４に突条９、凹溝１６を形成することは随意である。
【００５０】
図１６に示すスライダーの変形例は、上翼板２の上面に立設した引手取付部６に設けた左右に突出する軸部１４に軟質素材の引手１２を射出成形する際、軸部１４が完全に埋装される形に成形したもので、引手１２は引手取付部６に頑丈に取り付けられ、引手１２の起立および倒伏操作を簡便に行うことができるスライダーである。
【産業上の利用可能性】
【００５１】
この発明のスライドファスナー用スライダーは、スライダーの胴体を亜鉛合金、アルミニウム合金などを用いてダイカストにより作製し、この胴体に柔軟性のある熱可塑性樹脂または熱可塑性エラストマーあるいは合成ゴムの軟質素材を用いて、胴体に直接射出成形して引手を取り付け、スライドファスナーを衣服、バッグなどに使用したとき、引手がぶらついて他物に接触して接触音を発生するのを防ぎ、かつ引手が柔軟性があるから、使用製品およびスライダーを損傷することがなく、スポーツウェア、キャスター付きバッグなどに好適である。
【図面の簡単な説明】
【００５２】
【図１】スライドファスナー用スライダーの第１実施例を示す斜視図である。
【図２】同上スライダーの正面図である。
【図３】同上スライダーの要部拡大断面図である。
【図４】同上スライダーの図３のＡ−Ａ断面図である。
【図５】同上スライダーの胴体の要部拡大断面図である。
【図６】同上スライダーの胴体の図５のＢ−Ｂ断面図である。
【図７】同上スライダーの変形例を示す要部の拡大断面図である。
【図８】同上スライダーの他の変形例を示す要部の拡大断面図である。
【図９】同上スライダーのさらに他の変形例を示す要部の拡大断面図である。
【図１０】スライダーの第２実施例を示す斜視図である。
【図１１】同上スライダーの側面図である。
【図１２】同上スライダーの要部の拡大断面図である。
【図１３】スライダーの第３実施例を示す要部の断面図である。
【図１４】同上スライダーの変形例を示す要部の拡大断面図である。
【図１５】スライダーの第４実施例を示す要部の断面図である。
【図１６】同上スライダーの変形例を示す要部の拡大断面図である。
【図１７】公知のスライダーの斜視図である。
【図１８】他の公知のスライダーの斜視図である。
【符号の説明】
【００５３】
１            胴体
２            上翼板
６            引手取付部
７            孔部
８            内周面
９            突条
１２            引手
１３            引手本体
１４            軸部
１５            外周面
１６            凹溝
１７            段部
２０            腕部
【図１】
2005211200.tif 000003
【図２】
2005211200.tif 000004
【図３】
2005211200.tif 000005
【図４】
2005211200.tif 000006
【図５】
2005211200.tif 000007
【図６】
2005211200.tif 000008
【図７】
2005211200.tif 000009
【図８】
2005211200.tif 000010
【図９】
2005211200.tif 000011
【図１０】
2005211200.tif 000012
【図１１】
2005211200.tif 000013
【図１２】
2005211200.tif 000014
【図１３】
2005211200.tif 000015
【図１４】
2005211200.tif 000016
【図１５】
2005211200.tif 000017
【図１６】
2005211200.tif 000018
【図１７】
2005211200.tif 000019
【図１８】
2005211200.tif 000020